(57)【特許請求の範囲】
【請求項１】
各々１つの互いに異なる信号処理方法により、各々異なる入力および出力データの信号の処理方法で信号を処理するための装置であって、
少なくともオーディオ信号処理装置（１３）、
ビデオ信号処理装置（１５）、
スーパーインポーズ等信号処理装置（１６）および
グラフィック処理信号処理装置（１５）を含む装置と、
前記各装置（１３、１５、１６、１７）により処理すべきデータを記憶すべく該装置と接続されているメモリであって、全ての信号処理装置により利用され得る、所定の記憶容量を持ち相互に連結されたメモリ（２０、１５ｂ、１６ｂ、１７ｂ）とを備え、
前記装置（１３、１５、１６、１７）の内の少なくとも１つは選択的に活性化され、そして前記メモリの異なるメモリ部分は各活性化された装置に配分され、
活性化された装置内での信号処理がそれに配分されたメモリ部分（４０〜４５）に応じて所要の蓄積の量に関して実行され、その結果メモリ部分（４０〜４５）の合計が予め定めた蓄積容量を越えない
ことを特徴とするテレビジョン装置。
【請求項２】
同じアクセス資格を有する装置およびメモリが接続されているデータバス（１９）が設けられており、またメモリからの読出し過程およびメモリへの書込み過程を衝突なしに制御するアクセス制御装置（２１）が設けられていることを特徴とする請求項１記載の装置。
【請求項３】
第１および第２の装置（１５、１６）にそれぞれ固有の半導体メモリ（１５ｂ、１６ｂ）が接続されており、各半導体メモリにメモリインタフェース（１５ｃ、１６ｃ）が対応付けられており、メモリインタフェースが、装置の一方（１５；１６）により処理すべきデータが装置の他方（１６または１５）に接続されている半導体メモリ（１６ｂまたは１５ｂ）に記憶可能なように構成されていることを特徴とする請求項１記載の装置。
【請求項４】
第１の装置がオーディオ信号処理のための装置であり、また第２の装置がビデオ信号処理のための装置であることを特徴とする請求項１ないし３の１つに記載の装置。
【請求項５】
ビデオおよびオーディオ信号処理のための装置の少なくとも１つがメモリに記憶すべきデータ量、ワード幅およびアクセス速度に影響し得る少なくとも１つの処理パラメータの少なくとも１つに関してパラメータ化可能であることを特徴とする請求項４記載の装置。
【請求項６】
第１および第２の装置へのメモリ（２０；１５ｃ、１６ｃ、１７ｃ）のメモリ容量の割り当て分の対応付けを装置の作動状態に関係して設定する制御装置（２１；１５ｃ、１６ｃ、１７ｃ）が設けられていることを特徴とする請求項１ないし５の１つに記載の装置。
【発明の詳細な説明】
本発明は、第１および第２の信号処理装置とこれらの装置がアクセスするメモリ手段とを有するテレビジョン装置に関する。
テレビジョン装置は今日では一連のディジタル信号処理装置、たとえばフリッカを減少するためにライン周波数を高めるための装置、スーパーインポーズを行うための装置、テレテキストおよびグラフィック処理をするための装置、ディジタルのオーディオ処理をするための装置、オーディオおよびビデオ信号のノイズを低減するための装置、ディジタルに供給された信号をデコンプレッションするための装置などを有する。これらのディジタル信号処理方法ではそのつどの入力および／または出力データは半導体メモリに一時記憶される。記憶すべきデータ量は上記の場合に比較的大きい。たとえばラインフリッカ除去のための公知の方法は少なくとも２つの半像（全体の画像の半分の画像）に対するメモリ容量を必要とする。スーパーインポーズの際には１つまたは２つのデシメートされたスーパーインポーズすべきメモリ容量および場合によっては行メモリが必要である。高分解能のテレテキスト信号処理のためには、相応の対応付けられた属性を有する全像を一時記憶する必要がある。存在する運動に関してコード化されているビデオ信号のデコンプレッションの際には、より多数の半像に対するメモリが必要である。
これまで個々の信号処理方法は、互いに別々に集積されている回路で実現されている装置により実行される。各々の信号処理方法に対して必要とされる作業メモリはそれぞれの処理に携わる装置にのみ対応付けられており、また装置により実行される方法によってのみ対応付けられているメモリにアクセスすることができる。しばしば各作業メモリは信号処理方法を実現する回路構成要素と一緒に同じ集積回路チップの上に配置されている。また、より高い再現品質を与える信号処理方法はより大きいメモリ容量を必要とすることが判明している。たとえば、デシメートされた１つの半像のメモリ容量のみを必要とするスーパーインポーズ法は公知である。これはスーパーインポーズすべき像を表示する際にかなりの鮮明度の喪失に通ずる。テシメートされた２つの半像を一時記憶すべきスーパーインポーズ法により、この鮮明度の喪失は除かれ、またさらに場合によっては像の切断が避けられる。
各信号処理装置への特有のメモリのこれまでの固定的な対応付けは、個々の信号処理特有のメモリ構成要素が、特にそれらが信号処理装置と共に単一の集積回路チップに配置されている場合には、比較的高価であるという欠点を有する。さらに、装置に用意されているすべての信号処理方法が同時には利用されないということも経験上判明している。従って、テレビジョン装置に含まれているメモリ容量は比較的高いコストの原因となり、また必ずしも完全に利用されるものではない。
本発明の課題は、メモリ費用が低減され、または存在するメモリ容量が一層良好に利用されるテレビジョン装置を提供することにある。その際に再現品質が低下してはならない。
この課題は、本発明によれば、請求項１の特徴により解決される。
本発明によるテレビジョン装置はたとえば、すべての信号処理装置がアクセスする唯一つのメモリのみを含んでいる。メモリとしては従来からの標準的に利用可能な半導体メモリモジュールが使用できる。メモリ容量は、すべての作動状態でメモリが可能なかぎり良好に利用されるように選定される。テレビジョン装置はそのためにバスアーキテクチュアを有することができる。各装置ならびにメモリはバスと接続されている。各装置は同じ資格でメモリに記憶されているデータにアクセスできる。高速で実行されるバスアクセスの際の高周波の放射および波の反射の問題を避けるため、交互に各個の装置に１つのメモリを対応付けることができる。しかし、個々の対応付けられているメモリに、それが対応付けられている装置により目下利用されないときには、これらのメモリを利用するため、他の信号処理装置からのアクセスも可能である。
テレビジョン装置には、メモリアクセスを管理する制御装置が必要である。この制御装置は特に種々の信号処理装置への各メモリ量の対応付けを確定しなければならない。この対応付けは装置の各作動状態と、メモリ需要を有するまさに能動化されている信号処理装置に関係し得る。
本発明の有利な実施態様では個々の装置がパラメータ化可能である。このことは、メモリアクセスのバンド幅が関係するパラメータが調整可能であることを意味する。そのためにたとえば、処理かつ一時記憶すべきデータのワード幅を変更できる。他方では、処理方法の変更により処理かつ一時記憶すべきデータ値の数を変更できる。さらに、処理方法の変更によりデータアクセスの頻度および速度を変更できる。この処理パラメータまたは類似の処理パラメータに関するそのつどの装置のパラメータ化の可能性は相い異なる処理および再現品質を生じさせる。パラメータの調整はメーカー側で行うことができるし、または装置のまさに設定されている作動状態に関係してたとえば相応のソフトウェアの変更により行うこともできる。パラメータの変更はその際に、テレビジョン装置に設けられているメモリ容量が可能なかぎり良好に利用されるように実行される。テレビジョン装置の利用者はユニットの相い異なるパラメータ化をたとえば像処理の際またはアナログ信号処理の際の像鮮明度の喪失またはより高いノイズ成分として、すなわちごくわずかな品質喪失として認識する。
テレビジョン装置に含まれているメモリは、別のメモリモジュールを場合によっては後から既存のソケットに挿入することによって、拡張可能である。個々の信号処理装置のパラメータ化の可能性により、大きくされたメモリ容量が可能なかぎり効率的に利用されることが達成される。
以下、図面により本発明を一層詳細に説明する。
図１はバスアーキテクチュアを有するテレビジョン装置を、
図２は個々のユニットに対応付けられているメモリの全体メモリセルとしての相互接続を、また、
図３はメモリに対するレイアウト例を示す。
図１によるテレビジョン装置に入力端子、たとえばアンテナ１０を介してテレビジョン信号が供給される。設定された送信器の信号はたとえばチューナ、中間周波数段および復調器を含んでいる高周波部分１１でベースバンドに変換される。装置１１の出力端にはディジタルの冗長圧縮された信号が存在している。データ-デコンプレッション装置１２で信号はデコードされ、またオーディオ信号成分およびビデオ信号成分に分割される。オーディオ信号処理装置１３でスピーカ１４を駆動するための信号が発生される。オーディオ信号処理はそのためにオーディオ-デコンプレッション方法および相応のデコーディング方法ならびにノイズ処理を実行し得る。ビデオ信号処理の分枝路にはビデオ信号処理のための装置１５が設けられている。装置１５ではたとえば運動デコンプレッション、ノイズの低減および場合によっては行フリッカ除去が実行される。装置１５から発生された信号は装置１６で、たとえば別の像チャネルのスーパーインポーズ、色改善または像部分の拡大／縮小ならびに静止像機能を実行するための事後処理に用いられる。装置１７で、装置１６から発生された信号に、たとえばテレテキストデータがスーパーインポーズされまたテレテキストサービスまたは外部のメモリ媒体を介して供給されるグラフィックデータがスーパーインポーズされることによって、グラフィック処理がスーパーインポーズされる。装置１７から発生された像信号により像スクリーン１８が駆動される。
すべてのディジタル信号処理装置１２、１３、１５、１６、１７は、各々の処理方法により処理すべき入力および／または出力データを一時記憶するメモリを必要とする。そのためにこれらの装置は、そのつどの装置により同じ資格でまたは相い異なるハイアラーキでアクセスされるデータバス１９と接続されている。さらにデータバス１９にはメモリ２０が接続されている。データバス１９を介してすべてのディジタル信号処理装置はメモリ２０にそれらの機能に対してとっておかれているメモリ容量にアクセスできる。メモリ２０はその際に従来から映像およびオーディオデータの記憶のために適したメモリである。メモリは論理的に関連付けて編成されている。このことは、実際上、すべてのメモリがすべての信号処理装置により利用され得ることを意味する。テレビジョン装置の作動状態に相応して瞬時的に必要なメモリ容量が個々の信号処理装置に対応付けられる。さらに、データバス１９へのアクセスを監視する装置２１が設けられている。特に、アクセスの衝突が生じないことが確かめられなければならない。さらに装置２１によりメモリ２０の瞬時的なメモリ占有および個々の信号処理装置への対応付けが監視される。そのために、各装置により利用される現在のメモリ範囲のアドレス範囲を含んでいるルックアップテーブルが設けられる。信号処理装置および制御装置２１は、信号処理装置の能動化の前に装置２１で必要とされるメモリ需要について照会されるように、相応の共同作用する制御ソフトウェアを含んでいる。
図１に示されているバスアーキテクチュアの代わりに、垂直メモリを有する図２に示されている装置も利用できる。例として装置１５、１６、１７を有するビデオ信号処理チャネルが示されており、これらの装置の各々は各処理方法を実行するための制御機能を含んでいる論理部分１５ａ、１６ａ、１７ａを含んでいる。装置１５、１６、１７には直接にそれぞれ固有の半導体メモリ１５ｂ、１６ｂ、１７ｂが対応付けられている。メモリインタフェース１５ｃ、１６ｃ、１７ｃは各メモリへのアクセスを制御する。装置１５ｃ、１６ｃ、１７ｃはその際に、装置１７ａによりメモリ１７ｂが一時的に利用されないならば、必要の際に装置１６からもメモリ１７ｂにアクセスできるように構成されている。このことはたとえば、装置１６により少なくとも２つの半像が一時記憶されている高い再現品質を有するスーパーインポーズが実行されるべきであり、他方において装置１７によって一時的にグラフィック処理またはテレテキスト処理が実行されないようにすべきである。メモリ１５ｂ、１６ｂ、１７ｂは同様に論理的に見て唯一メモリとして考察されており、その際に各メモリセクション１５ｂ、１６ｂ、１７ｂは互いに隔離されて実現されている。必要の際には各メモリがトランスペアレントにすべての装置により利用できる。各メモリへのこの必要に応じたアクセス制御は制御装置１５ｃ、１６ｃ、１７ｃにより実行される。図１のバスアーキテクチュアと比較して図２によるアーキテクチュアは長いバス線を有していないので、高周波の放射および反射の問題が避けられる。結合要素２２は像スクリーン１８を駆動するための個々の装置１５、１６、１７を結合する。
図３によれば、すべての利用できるアドレス空間はメモリ２０でもメモリ１５ｂ、１６ｂ、１７ｂでもメモリアドレス０からアドレスＦＦＦ．．．Ｆまで達する。制御装置２１または各アクセス制御装置１５ｃ、１６ｃ、１７ｃにより利用可能なアドレス空間が信号処理装置に装置の目下の作動状態に従って対応付けられる。符号３０を付されている対応付けの例によれば、第１の範囲４０はオーディオ信号のデータの記憶のために予定される。その他のメモリ場所４１はビデオ信号処理のために、たとえば運動デコーディングおよびフリッカ除去のために予定され、従って装置１５はメモリ範囲４１へのアクセスの資格を維持する。符号３１を付されている実施例によれば、オーディオ範囲に対して予定されているメモリ場所４２は減少しており、従って装置１３でのオーディオ信号処理はより低い再現品質を発生する。ビデオ信号処理のためにはメモリ範囲４３が予定されている。スーパーインポーズ（像中への像の重畳）のためにはメモリ範囲４４がとっておかれている。例３２によれば、最初にスーパーインポーズ４４のために予定されたメモリ範囲がテレテキスト処理のためのメモリ範囲４５としてとっておかれる。この場合にはスーパーインポーズは行われない。
図３に示されているようなメモリ配置を目下の作動状態に適合させ得るように、信号処理装置がパラメータ化可能であることは目的にかなっている。パラメータ化はメーカー側で行われ、またこうしてテレビジョン装置に対して固定的に設定された状態にとどまる。パラメータ化は、１つの装置に対応付けられているメモリ容量が目下の作動状態に適合されるように、利用者により一時的に設定された作動状態によっても決定することができる。
上記のようにして、メモリアクセスのバンド幅を変更するようなパラメータが変更される。たとえばオーディオ信号処理装置１３に関してはメモリ占有例３０から例３１への移行の際に記憶すべきデータのワード幅が変更される。装置１３はそのために相応の調整可能性を予定しなければならない。それに対して代替的にたとえば、より少ない記憶すべきデータ量を必要とする他の処理アルゴリズムを実行することも考えられる。そのためには装置１３により処理すべきソフトウェアが変更できる。パラメータ化の可能性は、オーディオ信号処理装置１３により処理すべき従ってまた記憶すべきデータ量４２がデータ量４０よりも少ないという意図を有する。テレビジョン装置のオペレータはこの変化を、たとえば例３０での１つの高忠実度処理から例３１でのモノ処理へ切換えられるようにオーディオ信号処理の質の減少として知覚する。
信号処理装置へのメモリの分割は、装置が最初に能動化される時間的順序にも関係する。占有制御は制御装置２１により、上記に詳細に説明したように、行われる。メモリが多数のメモリ個所に故障を有するかぎり、これらの故障は装置のその前の作動状態に応じて他の信号処理機能に影響する。さらに制御装置２１により故障を有するメモリ範囲が容易に利用不可能なものとしてそこに設けられているルックアップテーブルに書込まれる。このことは、この故障したメモリ範囲が作動中の若干の時間後に初めてたとえば経時変化に基づいて故障と認められるべきであるときに特に有利である。
【図１】
0004070806.tif 000002
【図２】
0004070806.tif 000003
【図３】
0004070806.tif 000004